(57)【要約】【課題】面材の表面に配線されたケーブルを目立ち難くすることができるケーブルカバーを提供する。【解決手段】壁の表面Ｓの表面に配線された電源ケーブルＣを覆うためのケーブルカバー１であって、透光性材料から構成されており、壁の表面Ｓに沿わせる背面１０と、ケーブルの前方に配置され、正面視において電源ケーブルＣの幅全体を覆い、背面１０に対し第１の所定の角度β１およびβ２を有する、中空部右斜面６１および中空部左斜面６２と、中空部右斜面６１および中空部左斜面６２の少なくとも側方に配置され、背面１０に対し０°より大きく第１の所定の角度β１およびβ２以下の第２の所定の角度α１およびα２を有する、右斜面３１および左斜面３２と、を有する。【選択図】図３
2018042410.tif 000002
【特許請求の範囲】
【請求項１】
面材の表面に配線されたケーブルを覆うためのケーブルカバーであって、
透光性材料から構成されており、
前記面材の表面に沿わせる設置面と、
前記ケーブルの前方に配置され、正面視において前記ケーブルの幅全体を覆い、前記設置面に対し第１の所定の角度を有する投影面と、
前記投影面の少なくとも側方に配置され、前記設置面に対し０°より大きく前記第１の所定の角度以下の第２の所定の角度を有する反射面と、
を有する、ケーブルカバー。
【請求項２】
前記投影面は、前記設置面に対し前記第１の所定の角度を有する第１投影平面および前記設置面に対し前記第１の所定の角度を有する第２投影平面から構成されており、前記第１投影平面および前記第２投影平面は、略垂直に接続されると共に前記ケーブルの軸方向に対する垂直断面において前記第１投影平面と前記第２投影平面との接続部が前方側に位置するＶ字状に形成されており、
前記反射面は、前記第１投影平面の少なくとも側方に配置され、前記第２の所定の角度を有する第１反射平面と、前記第２投影平面の少なくとも側方に配置され、前記第２の所定の角度を有する第２反射平面と、を有する、
請求項１に記載のケーブルカバー。
【請求項３】
前記第１の所定の角度は、前記ケーブルの軸方向に対する垂直断面において、４５±２°であり、
前記第２の所定の角度は、前記ケーブルの軸方向に対する垂直断面において、３０±２°である、
請求項１又は２に記載のケーブルカバー。
【請求項４】
前記投影面の前方に配置され、一端が前記第１反射平面と接続され、他端が前記第２反射平面と接続された接続面を有する、
請求項２又は３に記載のケーブルカバー。
【請求項５】
前記ケーブルを収納可能な収納部をさらに有し、
前記収納部は、前記ケーブルの軸方向に対する垂直断面において、幅方向の寸法が奥行き方向の寸法以下である、
請求項１から４のいずれか１項に記載のケーブルカバー。
【請求項６】
前記投影面と前記収納部との間に設けられ、前記ケーブルの前記投影面側への移動を規制する規制部を有する、
請求項５に記載のケーブルカバー。
【請求項７】
表示部と、前記表示部へ電力を供給する前記ケーブルと、前記ケーブルを覆うための請求項１から６のいずれか１項に記載のケーブルカバーと、を備える、表示装置。
【発明の詳細な説明】
【技術分野】
【０００１】
本開示は、面材の表面に配線されたケーブルを覆うためのケーブルカバーに関する。
【背景技術】
【０００２】
特許文献１には、管状のケーブルカバーが開示されている。このケーブルカバーは、透光性材料から構成されており、内部にケーブルを収納可能である。このような構成であるため、配線時の作業者は、ケーブルの表面に表示された品名等を、ケーブルカバーの外側から視認することができる。
【先行技術文献】
【特許文献】
【０００３】
【特許文献１】特開２０１０−４５９２６号公報
【発明の概要】
【発明が解決しようとする課題】
【０００４】
本開示は、面材の表面に配線されたケーブルを目立ち難くすることができるケーブルカバーを提供する。
【課題を解決するための手段】
【０００５】
本開示に係るケーブルカバーは、面材の表面に配線されたケーブルを覆うためのケーブルカバーであって、透光性材料から構成されており、面材の表面に沿わせる設置面と、ケーブルの前方に配置され、正面視においてケーブルの幅全体を覆い、設置面に対し第１の所定の角度を有する投影面と、投影面の少なくとも側方に配置され、設置面に対し０°より大きく第１の所定の角度以下の第２の所定の角度を有する反射面とを有する。
【発明の効果】
【０００６】
本開示に係るケーブルカバーは、面材の表面に配線されたケーブルを目立ち難くすることができる。
【図面の簡単な説明】
【０００７】
【図１】実施例に係る表示装置を面材の表面に設置した状態を示す斜視図
【図２】実施例に係るケーブルカバーの取付状態を示す一部破断斜視図
【図３】実施例に係るケーブルカバーの取付状態を示す断面図
【図４】実施例に係るケーブルカバーの形状の詳細を説明するための図
【図５】実施例に係るケーブルカバー内における光路を説明するための図
【図６】変形例１に係るケーブルカバーの取付状態を示す断面図
【図７】変形例２に係るケーブルカバーの取付状態を示す断面図
【図８】変形例３に係るケーブルカバーの取付状態を示す断面図
【図９】変形例４に係るケーブルカバーの取付状態を示す断面図
【図１０】変形例５に係るケーブルカバーの取付状態を示す断面図
【図１１】変形例５に係るケーブルカバー内における光路を説明するための図
【発明を実施するための形態】
【０００８】
以下、適宜図面を参照しながら、本開示に係るケーブルカバーおよび表示装置の実施例および変形例を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施例）
以下、図１〜図５を用いて、実施例に係るケーブルカバーおよび表示装置を説明する。
【００１１】
［１−１−１．概略構成］
図１は、実施例に係る表示装置を面材の表面に設置した状態を示す斜視図である。
【００１２】
図１に示すように、表示装置の一例であるテレビＴは、映像を表示する表示部Ｄと、テレビＴの主な制御を行なうセットトップボックスＢと、ケーブルの一例である電源ケーブルＣと、ケーブルカバー１とを備える。表示部Ｄは、壁掛けタイプの表示パネルであって、例えば面材の一例である壁の表面Ｓに沿って設置される。セットトップボックスＢは、表示部Ｄへ電力を供給したり映像信号を送信したりなどの制御を行なう。電源ケーブルＣは、表示部Ｄへ電力を供給するためのケーブルである。ケーブルカバー１は、壁の表面Ｓに配線された電源ケーブルＣの略全体を覆うように壁の表面Ｓに取り付けられる。
【００１３】
ケーブルカバー１の断面形状は、電源ケーブルＣの軸方向において略同一である。ケーブルカバー１の長さは、電源ケーブルＣの壁の表面Ｓに配線された部分の長さと略等しい。ケーブルカバー１の材質は、透光性材料である無色透明なアクリル樹脂である。
【００１４】
［１−１−２．詳細構成］
図２は、実施例に係るケーブルカバーの取付状態を示す一部破断斜視図である。図３は、実施例に係るケーブルカバーの取付状態を示す断面図である。図４は、実施例に係るケーブルカバーの形状の詳細を説明するための図である。なお、図３および図４は、ケーブルカバー１の、電源ケーブルＣの軸方向に対する垂直断面（以下、単に「垂直断面」と称する）における断面形状を示す。
【００１５】
図２に示すように、ケーブルカバー１の垂直断面における外形は、背面１０、右側面２１、左側面２２、右斜面３１、左斜面３２および正面４０で構成される略六角形である。なお、背面１０が本開示に係る設置面に該当し、右斜面３１および左斜面３２が本開示に係る反射面に該当し、正面４０が本開示に係る接続面に該当する。さらに、右斜面３１が本開示に係る第１反射平面に該当し、左斜面３２が本開示に係る第２反射平面に該当する。
【００１６】
図３に示すように、ケーブルカバー１は、背面１０と垂直かつケーブルカバー１の中央を通る中心線Ｘを挟んで、左右対象である。
【００１７】
図３および図４に示すように、背面１０は、ケーブルカバー１で電源ケーブルＣを覆った状態において壁の表面Ｓに沿う。背面１０には電源ケーブルＣを収納するための収納部５０が設けられており、この収納部５０を挟んで正面視右側の右背面１１と、正面視左側の左背面１２とで背面１０は構成されている。
【００１８】
右側面２１は、背面１０の正面視右側の端縁に接続されており、背面１０と直角をなす。すなわち、右側面２１は右背面１１と直角をなす。左側面２２は、背面１０の正面視左側の端縁に接続され、背面１０と直角をなす。すなわち左側面２２は左背面１２と直角をなす。
【００１９】
本実施例では、正面視におけるケーブルカバー１の左右の幅、すなわち背面１０と平行な方向における右側面２１から左側面２２までの距離Ｗ０は１６ｍｍである。
【００２０】
右斜面３１は、右側面２１の前方側の端縁に接続されており、背面１０に対し０°より大きい第２の所定の角度α１を有する。左斜面３２は、左側面２２の前方側の端縁に接続されており、背面１０に対し０°より大きい第２の所定の角度α２を有する。本実施例では、角度α１は３０°であり、角度α２も３０°である。
【００２１】
正面４０は、右斜面３１の前方側の端縁および左斜面３２の前方側の端縁に接続されており、背面１０と平行である。本実施例では、ケーブルカバー１の奥行き、すなわち背面１０と垂直な方向における背面１０から正面４０までの距離Ｄ０は１１．５ｍｍである。
【００２２】
正面４０と右斜面３１との接続箇所には、面取りがなされた右面取り部３３が設けられている。また、正面４０と左斜面３２との接続箇所には、面取りがなされた左面取り部３４が設けられている。本実施例では、右面取り部３３および左面取り部３４は、それぞれ０．５ｍｍの面取りがなされている。
【００２３】
収納部５０は、背面１０に設けられた溝であって、垂直断面において略矩形であり、背面１０が壁の表面Ｓと接した状態で内部に電源ケーブルＣを収納可能である。
【００２４】
収納部５０の内壁面は、収納部右側面５１、収納部左側面５２および収納部底面５３で構成されている。なお、収納部底面５３が、本開示に係る規制部に該当する。
【００２５】
収納部５０の幅方向の寸法Ｗ１は、奥行き方向の寸法Ｄ１以下となるように構成されている。本実施例では、収納部５０の幅方向の寸法、すなわち背面１０と平行な方向における収納部右側面５１から収納部左側面５２までの距離Ｗ１は３．５ｍｍである。また、収納部５０の奥行き方向の寸法、すなわち背面１０と垂直な方向における背面１０から収納部底面５３までの距離Ｄ１は７．５ｍｍである。
【００２６】
収納部５０には、正面視において幅が最小となる姿勢の電源ケーブルＣを収納可能である。言い換えると、正面視において幅が最小となる姿勢の電源ケーブルＣの幅Ｗ２および奥行きＤ２が、Ｗ１≧Ｗ２かつＤ１≧Ｄ２の条件を満たすように、収納部５０は構成されている。本実施例では、幅Ｗ２は３．５ｍｍ、奥行きＤ２は７ｍｍである。
【００２７】
電源ケーブルＣの位置は、ケーブルカバー１が壁の表面Ｓに沿わせて取り付けられると、幅方向においては、収納部右側面５１と収納部左側面５２との間で規制され、奥行き方向においては、壁の表面Ｓと収納部底面５３との間で規制される。
【００２８】
ケーブルカバー１には、中空部６０が設けられている。中空部６０は、収納部５０の前方側かつ正面４０の後方側に設けられており、垂直断面において底辺が背面１０と平行かつ頂点が前方側に位置する略二等辺三角形である。
【００２９】
中空部６０の内壁面は、中空部右斜面６１、中空部左斜面６２および中空部底面６３で構成される。中空部右斜面６１と中空部左斜面６２は、垂直断面において接続部が前方側に位置するＶ字状に形成されている。
【００３０】
中空部右斜面６１は、背面１０に対し第１の所定の角度β１を有する。中空部左斜面３６２は、背面１０に対して第１の所定の角度β２を有する。なお、中空部右斜面６１および中空部左斜面６２が、本開示に係る投影面に該当する。さらに、中空部右斜面６１が本開示に係る第１投影平面に該当し、中空部左斜面６２が本開示に係る第２投影平面に該当する。
【００３１】
中空部右斜面６１および中空部左斜面６２は、電源ケーブルＣの前方に配置され、正面視における電源ケーブルＣの幅方向の全体および収納部５０の幅方向の全体を覆うように構成されている。言い換えると、中空部６０の正面視における幅、すなわち中空部底面６３の幅Ｗ３が、Ｗ３≧Ｗ１の条件を満たすように、中空部６０は構成されている。本実施例では、幅Ｗ３は４．０ｍｍである。
【００３２】
角度β１および角度β２は、α１≦β１かつα２≦β２の条件を満たす。本実施例では、角度β１が４５°、角度β２も４５°である。このとき、中空部右斜面６１と中空部左斜面６２がなす角度θは９０°となる。
【００３３】
中空部６０は、右側面視において、中空部右斜面６１の奥行き全体が右斜面３１に覆われるように構成されており、左側面視において、中空部左斜面６２の奥行き全体が左斜面３２に覆われるように構成されている。すなわち、右斜面３１は中空部右斜面６１の少なくとも側方に配置されており、左斜面３２は中空部左斜面６２の少なくとも側方に配置されている。言い換えると、背面１０と垂直な方向における背面１０から中空部底面６３までの距離Ｄ３と、同方向における背面１０から右側面２１の前方側の端縁および背面１０から左側面２２の前方側の端縁までの距離Ｄ４とが、Ｄ４≦Ｄ３の条件を満たす。さらに、同方向における背面１０から中空部右斜面６１と中空部左斜面６２の接続部までの距離Ｄ５と距離Ｄ０とが、Ｄ０＞Ｄ５の条件を満たす。本実施例では、距離Ｄ３は８．５ｍｍ、距離Ｄ４は８．５ｍｍ、距離Ｄ５は１０．５ｍｍである。
【００３４】
［１−２．作用］
以上のように構成されたケーブルカバー１について、その作用を以下説明する。
【００３５】
本開示に係るケーブルカバー１は透光性材料である無色透明なアクリル樹脂で構成されているため、ケーブルカバー１の外部から照射された光は、ケーブルカバー１の内部へと入射し、壁の表面Ｓで反射する。そして、本開示に係るケーブルカバー１は、面材の表面（壁の表面Ｓ）からの光を投影面（中空部右斜面６１および中空部左斜面６２）に反射させることによって壁の表面Ｓを中空部右斜面６１および中空部左斜面６２に投影させる反射面（右斜面３１および左斜面３２）を有する。
【００３６】
図５は、実施例に係るケーブルカバー内における光路を説明するための図である。
【００３７】
図５に示すように、壁の表面Ｓで反射し、背面１０からケーブルカバー１内に入射した光は、順に、右側面２１、右斜面３１、中空部右斜面６１で反射し、正面４０を通過して、正面視前方側へと進む。
【００３８】
本実施例の構成の場合の作用について、以下で具体的に説明する。ケーブルカバー１内へ入射した光の一例として壁の表面Ｓに対して入射角３０°で入射した光線Ｌ１は、反射角３０°で反射する。壁の表面Ｓで反射した光線Ｌ１は、右側面２１へ向かって進む。
【００３９】
右側面２１は、背面１０すなわち壁の表面Ｓと直角、つまり９０°の角度をなしている。このとき、右側面２１の法線は、右側面２１に向かって進んできた光線Ｌ１に対して６０°の角度をなす。よって、光線Ｌ１は、右側面２１に対して入射角６０°で入射し、右側面２１から反射角６０°で反射する。右側面２１で反射した光線Ｌ１は、右斜面３１に向かって進む。
【００４０】
右斜面３１は、背面１０と３０°の角度をなしている。つまり、右斜面３１は、右側面２１と１２０°の角度をなしている。このとき、右斜面３１の法線は、右斜面３１に向かって進んできた光線Ｌ１に対して６０°の角度をなす。よって、光線Ｌ１は、右斜面３１に対して６０°で入射し、右斜面３１から反射角６０°で反射する。右斜面３１で反射した光線Ｌ１は、中空部右斜面６１に向かって進む。
【００４１】
中空部右斜面６１は、背面１０と４５°の角度をなしている。つまり、中空部右斜面６１は、右斜面３１と１５°の角度をなしている。このとき、中空部右斜面６１の法線は、中空部右斜面６１に向かって進んできた光線Ｌ１に対して４５°の角度をなす。よって、光線Ｌ１は、中空部右斜面６１に対して４５°で入射し、中空部右斜面６１から反射角４５°で反射する。中空部右斜面６１で反射した光線Ｌ１は、正面４０に向かって進む。
【００４２】
正面４０は、背面１０と平行である。つまり、中空部右斜面６１は、正面４０と４５°の角度をなす。このとき、正面４０の法線は、正面４０に向かって進んできた光線Ｌ１と平行となる。よって、光線Ｌ１は、正面４０に対して垂直に入射し、正面４０を通過して正面視前方側へ、壁の表面Ｓと垂直方向へと進む。
【００４３】
また、中空部右斜面６１の前方側端縁で反射した光線Ｌ２および中空部右斜面６１の後方側端縁で反射した光線Ｌ３も、同様の動作により正面視前方側へ、壁の表面Ｓと垂直方向へと進む。
【００４４】
ここで、本実施例において、右斜面３１から中空部右斜面６１へと光線が進む際、光線は壁の表面Ｓと平行方向へと進む。また、上記［１−１−２．詳細構成］の欄で説明したように、側面視において、中空部右斜面６１の奥行き全体が、右斜面３１に覆われるよう構成されている。すなわち、壁の表面Ｓからの反射光のうち、右斜面３１に対して６０°の角度で入射した光線は、中空部右斜面６１の全域にわたって入射される。そして、中空部右斜面６１の全域から反射した光線は、正面４０に対して垂直に入射し、正面４０を通過して、正面視前方側へ、壁の表面Ｓと垂直方向へと進む。
【００４５】
なお、屈折率１．４９のアクリル樹脂の臨界角は約４２°である。本実施例の構成および動作の場合、右側面２１、右斜面３１および中空部右斜面６１において、光線の入射角はすべて４２°よりも大きいことから、右側面２１、右斜面３１および中空部右斜面６１では全反射が起こる。このような構成であれば、壁の表面Ｓで反射した光を右側面２１、右斜面３１および中空部右斜面６１で透過させることなく全反射させることができるため好ましい。ただし、本開示に係るケーブルカバー１は、壁の表面Ｓで反射した光を右側面２１、右斜面３１および中空部右斜面６１で全反射する構成には限られない。
【００４６】
さらに、図示はしないが、ケーブルカバー１の正面視左側においても、壁の表面Ｓから反射した光線が、同様の動作により正面視前方側へ、壁の表面Ｓと垂直方向へと進む。
【００４７】
［１−３．効果等］
以上のように、本実施例において、面材の表面（壁の表面Ｓ）に配線されたケーブル（電源ケーブルＣ）を覆うためのケーブルカバー（ケーブルカバー１）は、透光性材料から構成されており、設置面（背面１０）と、投影面（中空部右斜面６１および中空部左斜面６２）と、反射面（右斜面３１および左斜面３２）とを有する。設置面は、面材の表面に沿わせる。投影面は、ケーブルの前方に配置され、正面視においてケーブルの幅全体を覆い、設置面に対し第１の所定の角度を有する。反射面は、投影面の少なくとも側方に配置され、設置面に対し０°を超え第１の所定の角度以下の第２の所定の角度を有する。
【００４８】
これにより、正面視において投影面には、面材の表面の色や模様が投影され、正面視においてケーブルが存在する位置に面材の表面の色や模様が見える。そのため、面材の表面に配線されたケーブルを目立ち難くすることができる。
【００４９】
また、本実施例において、投影面は、設置面に対し第１の所定の角度β１を有する第１投影平面（中空部右斜面６１）および設置面に対し第１の所定の角度β２を有する第２投影平面（中空部左斜面６２）から構成されており、第１投影平面および第２投影平面は、略垂直に接続されると共に垂直断面において第１投影平面と第２投影平面との接続部が前方側に位置するＶ字状に形成されている。反射面は、第１投影平面の少なくとも側方に配置され、設置面に対し０°を超え第１の所定の角度β１以下の第２の所定の角度α１を有する第１反射平面と、第２投影平面の少なくとも側方に配置され、設置面に対し０°を超え第１の所定の角度β２以下の第２の所定の角度α２を有する第２反射平面とを有する。
【００５０】
これにより、投影面の奥行き方向の幅が狭くなるとともに、反射面の奥行き方向の幅も狭くなる。そのため、ケーブルカバーの奥行き方向の寸法を小さくすることができる。
【００５１】
また、本実施例において、第１の所定の角度β１およびβ２は、垂直断面において、４５±２°であり、第２の所定の角度α１およびα２は、垂直断面において、３０±２°である。
【００５２】
これにより、面材の表面で反射し、入射角６０°で反射面に入射した光線は、反射面において反射角６０°で反射し、投影面へ入射角４５°で入射する。このとき、かかる光線は面材の表面と略平行方向に進む。そして、入射角４５°で投影面に入射した光線は、投影面において反射角４５°で反射し、面材の表面と略垂直方向に進む。そのため、投影面からの反射光を正面視前方側へ真っ直ぐに反射させることができ、ケーブルを目立ち難くする効果をより確実に得ることができる。
【００５３】
また、本実施例において、ケーブルカバーは、第１投影平面および第２投影平面の前方に配置され、一端が第１反射平面と接続され、他端が第２反射平面と接続された接続面（正面４０）を有する。
【００５４】
これにより、反射面の奥行き方向の寸法がさらに小さくなる。そのため、ケーブルカバーの奥行き方向の寸法を小さくすることができる。
【００５５】
また、本実施例において、ケーブルカバーは、ケーブルを収容可能な収納部（収納部５０）をさらに有し、収納部は、垂直断面において、幅方向の寸法が奥行き方向の寸法以下である。
【００５６】
これにより、正面視におけるケーブル幅が最小となる姿勢で、ケーブルを収納部に収容可能となる。そのため、ケーブルカバーの幅方向の寸法を小さくすることができる。
【００５７】
また、本実施例において、ケーブルカバーは、投影面と収納部との間に設けられ、ケーブルＣの投影面側への移動を規制する規制部（収納部底面５３）を有する。
【００５８】
これにより、ケーブルが投影面側へ移動することがなく、ケーブルの位置をケーブルカバーの設計時に想定した範囲に位置決めすることができる。そのため、ケーブルを目立ち難くする効果をより確実に得ることができる。
【００５９】
また、本実施例において、接続面と第１反射平面との接続箇所、および接続面と第２反射平面との接続箇所には、それぞれ、右面取り部、および左面取り部が設けられている。
【００６０】
これにより、ケーブルカバーの表面が滑らかとなり、安全性を確保できる。
【００６１】
また、本実施例において、ケーブルカバーは、無色透明な透光性材料で構成されている。
【００６２】
これにより、正面視において面材の表面の色や模様がそのまま見え、半透明または有色の透光性材料を用いた場合と比較してケーブルを目立ち難くすることができる。
【００６３】
また、本実施例において、ケーブルカバーは、アクリル樹脂である。
【００６４】
これにより、垂直断面において閉じた空間である中空部を有する構造のケーブルカバーであっても、押出加工または引抜加工で生産することができ、高い生産性を確保することができる。
【００６５】
また、本実施例において、収納部の側方側には投影面が存在しない。このため、ケーブルカバーの側面からは内部のケーブルを視認することができる。これにより、配線時の作業者は、ケーブルの表面に表示された品名等を、ケーブルカバーを取り外すことなく視認することができる。
【００６６】
（変形例１）
以下、図６を用いて、変形例１を説明する。
【００６７】
図６は、変形例１に係るケーブルカバーの取付状態を示す断面図である。
【００６８】
図６に示すように、変形例１に係るケーブルカバー１０１は、カバー部材１０２とケーブル収納部材１０３との２つの部材で構成されている点において、全体が１つの部材で一体的に構成されている実施例に係るケーブルカバー１と大きく相違する。その他の構成については基本的に実施例に係るケーブルカバー１と略同様である。したがって、上記相違点についてのみ詳細に説明し、その他の構成については説明を簡略もしくは省略する。なお、実施例と同じ構成を有する部位には実施例と同じ符号を用いている。
【００６９】
カバー部材１０２は、垂直断面の外形が実施例に係るケーブルカバー１の垂直断面の外形と略同様の略六角形であって、背面１１０、右側面２１、左側面２２、右斜面３１、左斜面３２および正面４０を有する。なお、背面１１０が本開示に係る設置面に該当する。
【００７０】
カバー部材１０２の背面１１０には、ケーブル収納部材１０３を収納可能な、垂直断面が略矩形の溝部１７０が設けられている。溝部１７０は、ケーブル収納部材１０３の外形と略同様の形状および大きさを有する四角柱形状の部分１７１と、実施例に係る中空部６０と略同様の形状および大きさを有する三角柱形状の部分１６０とで構成される。そして、ケーブル収納部材１０３がカバー部材１０２の溝部１７０に収納された状態で、三角柱形状の部分１６０の垂直断面は、実施例に係る中空部６０と同じように略二等辺三角形の閉じた空間となる。
【００７１】
ケーブル収納部材１０３は、垂直断面の外形が、略矩形である。ケーブル収納部材１０３は、壁の表面Ｓ側の面に電源ケーブルＣを収納可能な収納部１５０を有している。収納部１５０は、実施例に係る収納部５０と略同様の形状および大きさを有し、垂直断面の形状は略矩形である。
【００７２】
ケーブル収納部材１０３は、収納部１５０の開口が壁の表面Ｓの方向に向くようにして、カバー部材１０２の溝部１７０の四角柱形状の部分１７１に収納される。
【００７３】
ケーブル収納部材１０３を四角柱形状の部分１７１に収納した状態において、三角柱形状の部分１６０の内壁面は、溝部右斜面１６１と溝部左斜面１６２とケーブル収納部材１０３の正面１６３とで構成される。なお、溝部右斜面１６１および溝部左斜面１６２が、本開示に係る投影面に該当する。さらに、溝部右斜面１６１が本開示に係る第１投影平面に該当し、溝部左斜面１６２が本開示に係る第２投影平面に該当する。
【００７４】
以上のように、ケーブル収納部材１０３がカバー部材１０２の溝部１７０に収納された状態で、ケーブルカバー１０１の形状は、実施例に係るケーブルカバー１の形状と略同様となる。
【００７５】
変形例１のような構成とすれば、ケーブルカバー１０１の内部に、垂直断面において閉じた空間である中空部を形成する必要がない。結果として、ケーブルカバー１の構造が簡単となり、射出成形金型による生産が可能となる。
【００７６】
（変形例２）
以下、図７を用いて、変形例２を説明する。
【００７７】
図７は、変形例２に係るケーブルカバーの取付状態を示す断面図である。
【００７８】
図７に示すように、変形例２に係るケーブルカバー２０１は、投影面が収納部を構成する面の一部である点で、投影面が収納部とは別に形成されている中空部を構成する面の一部である、実施例に係るケーブルカバー１と大きく相違する。その他の構成については基本的に実施例に係るケーブルカバー１と略同様である。したがって、上記相違点についてのみ詳細に説明し、その他の構成については説明を簡略もしくは省略する。なお、実施例と同じ構成を有する部位には実施例と同じ符号を用いている。
【００７９】
ケーブルカバー２０１は、背面１０、右側面２１、左側面２２、右斜面３１、左斜面３２および正面４０で構成される、垂直断面において略六角形の外形を有している。
【００８０】
また、ケーブルカバー２０１は、収納部右側面２５１、収納部左側面２５２、収納部右斜面２６１および収納部左斜面２６２で構成された、収納部２５０を有している。収納部２５０は、背面１０に設けられており、垂直断面において略五角形であり、背面１０が壁の表面Ｓと接した状態で電源ケーブルＣを収納可能である。なお、収納部右斜面２６１および収納部左斜面２６２が、本開示に係る投影面に該当する。さらに、収納部右斜面２６１が本開示に係る第１投影平面に該当し、収納部左斜面２６２が本開示に係る第２投影平面に該当する。
【００８１】
このような構成とすれば、ケーブルカバー２０１の内部に、垂直断面において閉じた空間である中空部を形成する必要がない。結果として、構造が簡単となり、変形例１と同様に射出成形金型による製造が可能となる。さらに、変形例１のように２つの部品を組み合わせる必要がなく、１つの部品でケーブルカバー２０１を構成することができる。結果として、変形例１に係る構成と比較して部品点数を削減することができる。
【００８２】
（変形例３）
以下、図８を用いて、変形例３を説明する。
【００８３】
図８は、変形例３に係るケーブルカバーの取付状態を示す断面図である。
【００８４】
図８に示すように、変形例３に係るケーブルカバー３０１は、収納部３５０が、電源ケーブルＣを正面視におけるケーブル幅が最大となる姿勢で収納可能となるように構成されている点で、実施例に係るケーブルカバー１と大きく相違する。その他の構成については基本的に実施例に係るケーブルカバー１と略同様である。したがって、上記相違点についてのみ詳細に説明し、その他の構成については説明を簡略もしくは省略する。なお、実施例と同じ構成を有する部位には実施例と同じ符号を用いている。
【００８５】
ケーブルカバー３０１は、背面３１０、右側面３２１、左側面３２２、右斜面３３１、左斜面３３２および正面３４０で構成される、垂直断面において略六角形の外形を有している。なお、背面３１０が本開示に係る設置面に該当し、右斜面３３１および左斜面３３２が本開示に係る反射面に該当し、正面３４０が本開示に係る接続面に該当する。さらに、右斜面３３１が本開示に係る第１反射平面に該当し、左斜面３３２が本開示に係る第２反射平面に該当する。
【００８６】
また、ケーブルカバー３０１は、収納部３５０を有している。収納部３５０は、背面３１０に設けられており、垂直断面において略矩形であり、背面３１０が壁の表面Ｓと接した状態で電源ケーブルＣを収納可能である。収納部３５０は、収納部右側面３５１、収納部左側面３５２および収納部底面３５３で構成される。なお、収納部底面３５３が、本開示に係る規制部に該当する。
【００８７】
収納部３５０は、幅方向の寸法が奥行き方向の寸法よりも大きく、正面視における電源ケーブルＣの幅が最大となる姿勢で電源ケーブルＣを収納可能となるよう構成されている。このため、収納部右側面３５１および収納部左側面３５２の垂直断面における長さは、実施例に係る収納部右側面５１および収納部左側面５２の垂直断面における長さよりも短い。そして、収納部底面３５３の垂直断面における長さは、実施例に係る収納部底面５３の垂直断面における長さよりも長い。したがって、ケーブルカバー３０１の正面視における幅は、実施例に係るケーブルカバー１の幅よりも大きく、ケーブルカバー３１０の奥行きは、実施例に係るケーブルカバー１の奥行きよりも小さい。
【００８８】
そのため、背面３１０の垂直断面における長さは、実施例に係る背面１０の垂直断面における長さよりも長い。右側面３２１および左側面３２２の垂直断面における長さは、実施例に係る右側面２１および左側面２２の垂直断面における長さよりも短い。右斜面３３１および左斜面３３２の垂直断面における長さは、実施例に係る右斜面３１および左斜面３２の垂直断面における長さよりも長い。正面３４０の垂直断面における長さは、実施例に係る正面４０の垂直断面における長さよりも長い。
【００８９】
ケーブルカバー３０１は、中空部３６０を有している。中空部３６０は、収納部３５０の前方側かつ正面３４０の後方側に設けられており、垂直断面において底辺が背面３１０と平行であり、かつ、頂点が前方側に位置する略二等辺三角形である。
【００９０】
中空部３６０は、中空部右斜面３６１、中空部左斜面３６２および中空部底面３６３で構成される。なお、中空部右斜面３６１および中空部左斜面３６２が、本開示に係る投影面に該当する。さらに、中空部右斜面３６１が本開示に係る第１投影平面に該当し、中空部左斜面３６２が本開示に係る第２投影平面に該当する。
【００９１】
中空部右斜面３６１および中空部左斜面３６２は、正面視における電源ケーブルＣの幅方向および正面視における収納部３５０の幅方向を覆うように構成されている。そして上記の通り、収納部３５０の幅は、実施例に係る収納部５０の幅よりも大きい。このため、中空部右斜面３６１、中空部左斜面３６２および中空部底面３６３の垂直断面における長さは、実施例に係る中空部右斜面６１、中空部左斜面６２および中空部底面６３の垂直断面における長さよりも長い。
【００９２】
このような構成とすれば、電源ケーブルＣを収納する収納部３５０の奥行き方向の寸法を小さくすることができる。結果として、実施例に係るケーブルカバー１と比較して、ケーブルカバー３０１の奥行き方向の寸法を小さくすることができる。
【００９３】
（変形例４）
以下、図９を用いて、変形例４を説明する。
【００９４】
図９は、変形例４に係るケーブルカバーの取付状態を示す断面図である。
【００９５】
図９に示すように、変形例４に係るケーブルカバー４０１は、電源ケーブルＣを収納する収納部を有しない点で、実施例に係るケーブルカバー１と大きく相違する。その他の構成については基本的に実施例に係るケーブルカバー１と略同様である。したがって、上記相違点についてのみ詳細に説明し、その他の構成については説明を簡略もしくは省略する。なお、実施例と同じ構成を有する部位には実施例と同じ符号を用いている。
【００９６】
ケーブルカバー４０１は、背面４１０、右側面４２１、左側面４２２、右斜面３１、左斜面３２および正面４０で構成される、垂直断面が略六角形の外形を有している。なお、背面４１０が本開示に係る設置面に該当する。
【００９７】
ケーブルカバー４０１には、中空部４６０が設けられている。中空部４６０は、背面４１０の前方側かつ正面４０の後方側に設けられており、垂直断面において底辺が背面４１０と平行かつ頂点が前方側に位置する略二等辺三角形である。
【００９８】
壁の表面Ｓには、電源ケーブルＣの配線経路に沿って、垂直断面が略矩形のケーブル収納溝４５０が設けられている。ケーブル収納溝４５０は、正面視における電源ケーブルＣの幅が最小となる姿勢で電源ケーブルＣを収納可能となるように構成されている。そして電源ケーブルＣは、正面視における電源ケーブルＣの幅が最小となる姿勢でケーブル収納溝４５０に収納されることで配線されている。
【００９９】
ケーブルカバー４０１は、背面４１０と垂直かつケーブルカバー４０１の中央を通る中心線Ｙをはさんで、左右対称となるように構成されている。そして、ケーブルカバー４０１は、中心線Ｙが、垂直断面における電源ケーブルＣの中心線と一致するよう、背面４１０を壁の表面Ｓに沿わせて取り付けられる。
【０１００】
このような構成とすれば、ケーブルカバー４０１に電源ケーブルＣを収納する収納部を形成する必要がない。結果として、実施例に係るケーブルカバー１と比較して、ケーブルカバー４０１の奥行き方向の寸法を小さくすることができる。ケーブルカバー４０１は、壁の表面Ｓに埋め込まれ、かつ、正面視において露出した状態で配線されている電源ケーブルＣを、目立ち難くするために有用である。
【０１０１】
（変形例５）
以下、図１０および図１１を用いて、変形例５を説明する。
【０１０２】
図１０は、変形例５に係るケーブルカバーの取付状態を示す断面図である。
【０１０３】
図１０に示すように、変形例５に係るケーブルカバー５０１は、投影面および反射面をそれぞれ１面ずつ有する点で、投影面および反射面をそれぞれ２面ずつ有する実施例に係るケーブルカバー１と大きく相違する。その他の構成については基本的に実施例に係るケーブルカバー１と略同様である。したがって、上記相違点についてのみ詳細に説明し、その他の構成については説明を簡略もしくは省略する。なお、実施例と同じ構成を有する部位には実施例と同じ符号を用いている。
【０１０４】
ケーブルカバー５０１は、背面５１０、右側面５２１、左側面５２２、右斜面５３１、および正面５４０で構成される、垂直断面において略五角形の外形を有している。ケーブルカバー５０１の外形は、垂直断面において実施例に係るケーブルカバー１の中心線Ｘ（図３参照）から、正面視右側半分を切り出した形状と類似している。なお、背面５１０が本開示に係る設置面に該当し、右斜面５３１が本開示に係る反射面に該当する。
【０１０５】
背面５１０は、収納部５０を挟んで正面視右側の右背面５１１と、正面視左側の左背面５１２とで構成されている。右背面５１１の垂直断面における長さは、左背面５１２の垂直断面における長さよりも長い。
【０１０６】
右側面５２１は、背面５１０の正面視右端縁に接続され、背面５１０と直角をなす。左側面２２は、背面５１０の正面視左端縁に接続され、背面５１０と直角をなす。
【０１０７】
右斜面５３１は、右側面５２１の前方側の端縁と接続され、背面５１０に対して所定の角度を有する。例えば右斜面５３１と背面５１０とがなす角度α３は３０°である。
【０１０８】
正面５４０は、右斜面５３１の前方側の端縁および左側面５２２の前方側の端縁と接続され、背面５１０と平行である。
【０１０９】
ケーブルカバー５０１の正面視における幅は、実施例に係るケーブルカバー１の幅よりも小さい。ケーブルカバー５０１の奥行きは、実施例に係るケーブルカバー１の奥行きよりも大きい。
【０１１０】
ケーブルカバー５０１は、収納部５５０と中空部５６０を有している。
【０１１１】
収納部５５０は、背面５１０に設けられており、垂直断面において略矩形であり、背面５１０が壁の表面Ｓと接した状態で電源ケーブルＣを収納可能である。
【０１１２】
中空部５６０は、収納部５５０の前方側に設けられており、中空部右斜面５６１、中空部左側面５６２および中空部底面５６３で構成される。なお、中空部右斜面５６１が、本開示に係る投影面に該当する。
【０１１３】
中空部右斜面５６１は、例えば背面５１０と４５°の角度をなし、正面視における電源ケーブル２の幅方向および正面視における収納部５５０の幅方向を覆うように構成されている。中空部左側面５６２は、背面５１０と垂直であり、中空部底面５６３は、背面５１０と平行である。すなわち、中空部５６０は、中空部右斜面５６１を底辺とする略直角二等辺三角形となるように形成されている。
【０１１４】
図１１は、変形例５に係るケーブルカバー内における光路を説明するための図である。
【０１１５】
変形例５に係るケーブルカバー５０１は透光性材料であるアクリル樹脂で構成されているため、ケーブルカバー５０１の外部から照射された光は、ケーブルカバー５０１の内部へと入射する。
【０１１６】
ケーブルカバー５０１の内部へ入射した光のうち壁の表面Ｓに対して入射角３０°で入射した光線Ｌ５１は、壁の表面Ｓから反射角３０°で反射する。壁の表面Ｓで反射した光線Ｌ５１は、右側面５２１へ向かって進む。
【０１１７】
右側面５２１は、背面５１０すなわち壁の表面Ｓと直角、つまり９０°の角度をなしている。このとき、右側面５２１の法線は、右側面５２１に向かって進んできた光線Ｌ５１に対して６０°の角度をなす。よって、光線Ｌ５１は、右側面５２１に対して入射角６０°で入射し、右側面５２１から反射角６０°で反射する。右側面５２１で反射した光線Ｌ５１は、右斜面５３１に向かって進む。
【０１１８】
右斜面５３１は、背面５１０と３０°の角度をなしている。つまり、右斜面５３１は、右側面５２１と１２０°の角度をなしている。このとき、右斜面５３１の法線は、右斜面５３１に向かって進んできた光線Ｌ５１に対して６０°の角度をなす。よって、光線Ｌ５１は、右斜面５３１に対して６０°で入射し、右斜面５３１から反射角６０°で反射する。右斜面５３１で反射した光線Ｌ５１は、中空部右斜面５６１に向かって進む。
【０１１９】
中空部右斜面５６１は、背面５１０と４５°の角度をなしている。つまり、中空部右斜面５６１は、右斜面５３１と１５°の角度をなしている。このとき、中空部右斜面５６１の法線は、中空部右斜面５６１に向かって進んできた光線Ｌ５１に対して４５°の角度をなす。よって、光線Ｌ５１は、中空部右斜面５６１に対して４５°で入射し、中空部右斜面５６１から反射角４５°で反射する。このとき光線Ｌ５１は、中空部右斜面５６１の前方側端縁に入射する。中空部右斜面５６１で反射した光線Ｌ５１は、正面５４０に向かって進む。
【０１２０】
正面５４０は、背面５１０と平行である。つまり、中空部右斜面５６１は、正面５４０と４５°の角度をなす。このとき、正面５４０の法線は、正面５４０に向かって進んできた光線Ｌ５１と平行となる。よって、光線Ｌ５１は、正面５４０に対して垂直に入射し、正面５４０を通過して正面視前方側へ、壁の表面Ｓと垂直方向へと進む。
【０１２１】
また光線Ｌ５２も、同様の動作により正面視前方側へ、壁の表面と垂直方向へと進む。ここで、光線Ｌ５２は、中空部右斜面５６１の後方側端縁に入射する光線である。そして光線Ｌ５２は、中空部右斜面５６１で反射した後、右斜面５３１を屈折して通過することで、正面視前方側へ、壁の表面と垂直方向へと進む光線である。そのため、ケーブルカバー５０１内における光線Ｌ５２の経路は、光線Ｌ５１に対して傾きをもつ。
【０１２２】
これにより、正面視において中空部右斜面５６１には、壁の表面Ｓの色や模様が投影され、正面視においてケーブルカバー５０１の収納部５０に収納された電源ケーブルＣが存在する位置に壁の表面Ｓの色や模様が見える。そのため、壁の表面Ｓの表面に配線された電源ケーブルＣを目立ち難くすることができる。
【０１２３】
このような構成とすれば、ケーブルカバー５０１の正面視左側に反射面を配置する必要がなく、ケーブルカバー５０１の正面視左側のスペースを省略することができる。結果として、実施例に係るケーブルカバー１と比較して、ケーブルカバー５０１の幅方向の寸法を小さくすることができる。
【０１２４】
（他の実施例）
以上のように、本出願において開示する技術の例示として、実施例および変形例１〜５を説明した。しかしながら、本開示における技術は、これに限定されず、変更、置き換え、付加、省略などを行った実施例にも適用できる。また、上記実施例および変形例１〜５で説明した各構成要素を組み合わせて、新たな実施例とすることも可能である。
【０１２５】
そこで、以下、他の実施例を例示する。
【０１２６】
実施例および変形例１〜５では、面材の一例として壁の表面に取り付けられるケーブルカバーについて説明した。しかし、面材は壁に限定されず、例えば天井、床または柱などであってもよい。また、これら面材は屋内のものであっても屋外のものであってもよい。また、これら面材は建物の壁などのように固定式のものに限定されず、可動式のものやスクリーン式などであってもよい。
【０１２７】
実施例および変形例１〜５では、ケーブルの一例として二軸式の電源ケーブルを覆うケーブルカバーについて説明した。しかし、ケーブルは二軸式の電源ケーブルに限定されず、例えば垂直断面の形状が略円形、略長円形または略角形などの電源ケーブルであってもよい。
【０１２８】
実施例および変形例１〜５では、ケーブルの一例として二軸式の電源ケーブルについて説明した。しかし、ケーブルは電源ケーブルに限定されず、映像信号を伝送する信号ケーブルでもよく、電力と映像信号の両方を伝送可能なケーブルでもよい。
【０１２９】
実施例および変形例１〜５では、反射面および投影面をそれぞれ２面ずつ有し、また変形例５では、反射面および投影面をそれぞれ１面ずつ有するケーブルカバーについて説明した。しかし、反射面および投影面は、それぞれ少なくとも１面ずつを有していれば、それぞれの面の数は、これら実施例および変形例１〜５で説明した態様に限定されない。
【０１３０】
実施例および変形例１〜５では、反射面および投影面は、ともに平面であるとして説明した。しかし、反射面または投影面の少なくともいずれか一方は平面でなくてもよく、例えば曲面などであってもよい。また、反射面または投影面の少なくともいずれか一方に、鏡面仕上げなどの表面加工がされていてもよい。
【０１３１】
実施例および変形例１〜５では、透光性材料の一例として、無色透明のアクリル樹脂から構成されているケーブルカバーについて説明した。しかし、ケーブルカバーは、無色透明の材料に限定されず、例えば無色半透明、有色透明、有色半透明の材料などで構成されていてもよい。また、ケーブルカバーは、アクリル樹脂に限定されず、例えば、ポリカーボネート樹脂、ＡＢＳ（Ａｃｒｙｌｏｎｉｔｒｉｌｅ  Ｂｕｔａｄｉｅｎｅ  Ｓｔｙｒｅｎｅ）樹脂、ポリスチレン樹脂、ポリメタクリルスチレン樹脂、塩化ビニル樹脂やＥＶＡ（Ｅｔｈｙｌｅｎｅ  Ｖｉｎｙｌ  Ａｃｅｔａｔｅ）樹脂などの樹脂材料、またはガラスなどで構成されていてもよい。
【産業上の利用可能性】
【０１３２】
本開示は、面材の表面に配線されたケーブルを目立ち難くするケーブルカバーに適用可能である。具体的には、テレビやディスプレイなどの表示装置に用いられる電源ケーブルなどに適用可能である。
【符号の説明】
【０１３３】
１，１０１，２０１，３０１，４０１，５０１    ケーブルカバー
１０，１１０，３１０，４１０，５１０    背面（設置面）
３１，３３１    右斜面（反射面、第１反射平面）
３２，３３２    左斜面（反射面、第２反射平面）
４０，３４０，５４０    正面（接続面）
５０，３５０    収納部
５３，３５３    収納部底面（規制部）
６１，３６１    中空部右斜面（投影面、第１投影平面）
６２，３６２    中空部左斜面（投影面、第２投影平面）
１６１    溝部右斜面（投影面、第１投影平面）
１６２    溝部左斜面（投影面、第２投影平面）
２６１    収納部右斜面（投影面、第１投影平面）
２６２    収納部左斜面（投影面、第２投影平面）
５３１    右斜面（反射面）
５６１    中空部右斜面（投影面）
Ｂ    セットトップボックス
Ｃ    電源ケーブル（ケーブル）
Ｄ    表示部
Ｓ    壁の表面（面材の表面）
Ｔ    テレビ（表示装置）
α１，α２，α３    第２の所定の角度
β１，β２，β３    第１の所定の角度
【図１】
2018042410.tif 000003
【図２】
2018042410.tif 000004
【図３】
2018042410.tif 000005
【図４】
2018042410.tif 000006
【図５】
2018042410.tif 000007
【図６】
2018042410.tif 000008
【図７】
2018042410.tif 000009
【図８】
2018042410.tif 000010
【図９】
2018042410.tif 000011
【図１０】
2018042410.tif 000012
【図１１】
2018042410.tif 000013